(57)【特許請求の範囲】
【請求項１】
感光材料を現像処理するための処理液を貯蔵可能で、感光材料の進行方向に沿って並設された複数の現像処理液槽と、感光材料を前記現像処理液槽内の前記処理液中で移動させるために、個々の前記現像処理液槽に対応して設けられた処理ラックとを備え、さらに、上手側から排出された感光材料を下手側に受け渡すために、前記各処理ラック毎に対応するオーバーヘッドラックが前記各処理ラックに対して着脱自在に設けられており、且つ、前記各オーバーヘッドラックは、上手側から供給された感光材料を前記対応の処理ラックに渡す搬入ローラと、前記対応の処理ラックから排出された感光材料を下手側に供給する搬出ローラを有する感光材料の現像処理装置であって、
前記オーバーヘッドラックの前記着脱操作に際して、前記オーバーヘッドラックの前記処理ラックに対する姿勢を規制するための姿勢案内機構として、前記処理ラック上には、前記搬入ローラおよび前記搬出ローラの軸芯と平行に延びる面を持つ第１規制部材が、前記オーバーヘッドラックには、前記第１規制部材を受け入れる係合凹部が設けられており、さらに、前記姿勢案内機構は、前記第１規制部材から垂直に延びた面を有する第２規制部材を備えており、前記係合凹部は前記第２規制部材を受け入れ可能である感光材料の現像処理装置。
【請求項２】
前記第１規制部材は、前記処理ラックを前記現像処理液槽に対して着脱操作するためのハンドルを兼ねており、前記第２規制部材は、前記第１規制部材を前記処理ラックに支持する支持部材を兼ねている請求項１に記載の感光材料の現像処理装置。
【請求項３】
前記係合凹部は、前記オーバーヘッドラックの前記搬入ローラと前記搬出ローラの間から上方に延びている請求項１又は２に記載の感光材料の現像処理装置。
【請求項４】
前記処理ラックは、外部からの駆動力を受け取って、前記オーバーヘッドラックと前記処理ラック自身の搬送ローラに伝えるための入力ギヤと、この入力ギヤを回動自在に支持する支持軸を備えており、前記第２規制部材は、前記支持軸を固定する固定部材を兼ねている請求項１に記載の感光材料の現像処理装置。
【請求項５】
前記オーバーヘッドラックが前記処理ラックに取り付けられた状態において、前記支持軸は、前記オーバーヘッドラックの前記搬送ローラよりも上方に位置しつつ、前記搬入ローラおよび前記搬出ローラの軸芯方向における領域を超えて延びており、且つ、前記支持軸は、前記オーバーヘッドラックの前記係合凹部内に収納されている請求項４に記載の感光材料の現像処理装置。
【請求項６】
前記処理ラックに取り付けられた前記オーバーヘッドラックが前記処理ラックに対して相対移動することを規制するロック手段が設けられている請求項１から５のいずれか１項に記載の感光材料の現像処理装置。
【請求項７】
前記ロック手段は、前記処理ラックの前記ハンドルに設けられた嵌入凹部と、前記オーバーヘッドラックに設けられた爪部材を含み、この爪部材は、前記嵌入凹部に係入して前記オーバーヘッドラックの前記処理ラックに対する上向きの移動を規制する第１姿勢と、前記嵌入凹部から退出して前記オーバーヘッドラックの前記処理ラックに対する上向きの移動を許す第２姿勢の間で横向きに変位可能に設けられており、且つ、前記爪部材を前記第１姿勢側に付勢する手段が設けられており、前記ハンドルには、前記オーバーヘッドラックの前記処理ラックに対する下向きの移動に応じて、前記爪部材を一旦前記第２姿勢に変位させた後に前記嵌入凹部に係入させるためのカム面が設けられている請求項６に記載の感光材料の現像処理装置。
【発明の詳細な説明】
【０００１】
【発明の属する技術分野】
本発明は、写真用印画紙など感光材料の現像処理装置に関し、より具体的には、感光材料を現像処理するための処理液を貯蔵可能で、感光材料の進行方向に沿って並設された複数の現像処理液槽と、感光材料を現像処理液槽内の処理液中で移動させるために、個々の現像処理液槽に対応して設けられた処理ラックとを備え、さらに、上手側から排出された感光材料を下手側に受け渡すために、各処理ラック毎に対応するオーバーヘッドラックが各処理ラックに対して着脱自在に設けられており、且つ、各オーバーヘッドラックは、上手側から供給された感光材料を対応の処理ラックに渡す搬入ローラと、対応の処理ラックから排出された感光材料を下手側に供給する搬出ローラを有する感光材料の現像処理装置に関する。
【０００２】
【従来の技術】
上記の感光材料の現像処理装置としては、特開平８−７６３３８号公報に開示された印画紙現像処理装置が知られている。ここでは、各オーバーヘッドラックに、上手側から供給された感光材料を対応の処理ラックに渡す搬入ローラと、対応の処理ラックから排出された感光材料を下手側に供給する搬出ローラを設けた構成が採用されており、より具体的に記せば、各オーバーヘッドラックが、隣接する処理ラックどうしに跨っておらず、すなわち、オーバーヘッドラックどうしの間隙が、隣接する処理ラックどうしの境界付近に位置していて、上手側の処理槽内の処理液がオーバーヘッドラックのローラカバー下面に結露しても、この結露した処理液は、オーバーヘッドラックどうしの前記間隙に阻まれて、下手側の処理槽内に進入することがないので都合が良い。
すなわち、これと異なる構成、例えば、各オーバーヘッドラックが、互いに隣接する二つの処理ラックに跨るように配置され、各オーバーヘッドラックが、上手側の処理ラックから感光材料を受け取って、これを下手側に隣接する処理ラックに受け渡す搬出ローラとが設けられた構成では、オーバーヘッドラックのローラカバー下面に結露した処理液は、ローラカバー下面を伝って上手側の処理ラックに進入して処理液を汚染する可能性があるが、上記の特開平８−７６３３８号公報に開示された印画紙現像処理装置ではこれが改善されている。
【０００３】
【発明が解決しようとする課題】
しかし、上記の従来例による感光材料の現像処理装置では、オーバーヘッドラックを処理ラックに対して着脱操作する際に、下手側や上手側に位置している隣のオーバーヘッドラックと干渉して、オーバーヘッドラックの下端に設けられたパッキンが損傷を受ける、または、オーバーヘッドラック内の搬入ローラや搬出ローラが、処理ラック内の印画紙ガイド部材と接触してこれらのローラが損傷を受ける懸念があり、改善が望まれていた。
【０００４】
したがって、本発明の目的は、上に例示した従来構造の感光材料の現像処理装置が持つ上記の不都合に鑑み、オーバーヘッドラックを処理ラックに対して着脱操作する際に、隣接するオーバーヘッドラックと干渉して、オーバーヘッドラックの下端のパッキンまたは搬入、搬出ローラが損傷を受ける懸念の少ない感光材料の現像処理装置を提供することにある。
【０００５】
【課題を解決するための手段】
上記目的を達成するために本発明の請求項１による感光材料の現像処理装置は、オーバーヘッドラックの着脱操作に際して、オーバーヘッドラックの処理ラックに対する姿勢を規制するための姿勢案内機構として、処理ラック上には、搬入ローラおよび搬出ローラの軸芯と平行に延びる面を持つ第１規制部材が、オーバーヘッドラックには、第１規制部材を受け入れる係合凹部が設けられており、さらに、姿勢案内機構は、第１規制部材から垂直に延びた面を有する第２規制部材を備えており、係合凹部は第２規制部材を受け入れ可能であることを特徴構成としている。
【０００６】
このような特徴構成を備えているために、本発明の請求項１による感光材料の現像処理装置では、オーバーヘッドラックを処理ラックに対して着脱操作する際には、姿勢案内機構が、オーバーヘッドラックの処理ラックに対する姿勢を所定の状態に規制し、特に、搬入ローラおよび搬出ローラの軸芯と平行に延びる面を持つように処理ラック上に設けられた第１規制部材と、この第１規制部材を受け入れるようにオーバーヘッドラックに設けられた係合凹部とからなる第１の姿勢案内機構が、オーバーヘッドラックの処理ラックに対する平面視における角度姿勢を規制する効果をもたらし、さらに、第１規制部材から垂直に延びた面を有する第２規制部材と、この第２規制部材を受け入れるようにオーバーヘッドラックに設けられた係合凹部とからなる第２の姿勢案内機構が、オーバーヘッドラックの処理ラックに対する側面視における角度姿勢を規制する効果をもたらす。したがって、オーバーヘッドラックは、これらの姿勢案内機構が規定する移動経路上を通って処理ラックに取り付けられることとなり、結果的に、オーバーヘッドラックが隣のオーバーヘッドラックと干渉してオーバーヘッドラックの下端のパッキンまたは搬入、搬出ローラが損傷を受けると言った懸念が少ない。
【０００７】
本発明の請求項２による感光材料の現像処理装置のように、第１規制部材は、処理ラックを現像処理液槽に対して上げ操作または下げ操作するためのハンドルを兼ねており、第２規制部材は、第１規制部材を処理ラックに支持する支持部材を兼ねている構成にすると良い。
【０００８】
本発明の請求項３による感光材料の現像処理装置のように、係合凹部は、オーバーヘッドラックの搬入ローラと搬出ローラの間から上方に延びている構成にすると良い。
【０００９】
オーバーヘッドラックを処理ラックに取り付ける際には、下向きの移動経路によるのが都合が良いので、係合凹部はオーバーヘッドラックの底面側から上向きに延びたものが適し、しかも、オーバーヘッドラックどうしの干渉をより確実に防ぐためには、上下方向に十分なスパンで延びているのが良いが、このような上向きに十分に長く延びた係合凹部を設ける位置としては、搬入ローラと搬出ローラの間の領域が最も適しているからである。一般に、処理ラック内における、感光材料の搬入経路と搬出経路とは、処理ラック内の軸芯付近に位置した駆動ローラの直径と同じ長さだけ離間しているので、搬入ローラと搬出ローラの間にも、通常、少なくとも、駆動ローラの直径と同じ長さだけの間隙が形成されている。
【００１０】
本発明の請求項４による感光材料の現像処理装置のように、前記処理ラックは、外部からの駆動力を受け取って、前記オーバーヘッドラックと前記処理ラック自身の搬送ローラに伝えるための入力ギヤと、この入力ギヤを回動自在に支持する支持軸を備えており、前記第２規制部材は、前記支持軸を固定する固定部材を兼ねている構成にすると良い。
【００１１】
このように構成すれば、入力ギヤ用の支持軸を処理槽の邪魔にならない十分に高い位置に設け、且つ、これを十分に長いスパンで確実に支持することができ、しかも、オーバーヘッドラックを取り付けた際には、支持軸はオーバーヘッドラックの係合凹部内に収納されるので、オーバーヘッドラックの搬送ローラと支持軸が干渉し合うことがない。
【００１２】
本発明の請求項５による感光材料の現像処理装置のように、前記オーバーヘッドラックが前記処理ラックに取り付けられた状態において、前記支持軸は、前記オーバーヘッドラックの前記搬送ローラよりも上方に位置しつつ、前記搬入ローラおよび前記搬出ローラの軸芯方向における領域を超えて延びており、且つ、前記支持軸は、前記オーバーヘッドラックの前記係合凹部内に収納されている構成にすれば良い。
【００１３】
本発明の請求項６による感光材料の現像処理装置のように、処理ラックに取り付けられたオーバーヘッドラックが処理ラックに対して相対移動することを規制するロック手段が設けると、処理ラックが安定して取り付けられて都合が良い。
【００１４】
本発明の請求項７による感光材料の現像処理装置のように、ロック手段は、処理ラックのハンドルに設けられた嵌入凹部と、オーバーヘッドラックに設けられた爪部材を含み、この爪部材は、嵌入凹部に係入してオーバーヘッドラックの処理ラックに対する上向きの移動を規制する第１姿勢と、嵌入凹部から退出してオーバーヘッドラックの処理ラックに対する上向きの移動を許す第２姿勢の間で横向きに変位可能に設けられており、且つ、爪部材を第１姿勢側に付勢する手段が設けられており、ハンドルには、オーバーヘッドラックの処理ラックに対する下向きの移動に応じて、爪部材を一旦、第２姿勢に変位させた後に嵌入凹部に係入させるためのカム面が設けられた構成とすれば良い。
このように構成すれば、先ず、オーバーヘッドラックの係合凹部を、処理ラックの第１規制部材にかぶせ、次にオーバーヘッドラックを押し下げて行けば、オーバーヘッドラックの係合凹部は処理ラックの第２規制部材に沿って真っ直ぐに降りて行く上に、その最終工程で、オーバーヘッドラックの爪部材が処理ラックの嵌入凹部に自動的に係入して、オーバーヘッドラックは処理ラックに対してロックされた状態が得られる。
【００１５】
本発明によるその他の特徴及び利点は、以下図面を用いた実施例の説明により明らかになるだろう。
【００１６】
【発明の実施の形態】
本発明による感光材料の現像処理装置の一実施形態について、図面に基づいて解説する。
【００１７】
（現像処理装置の全体構造）
図１は、印画紙を感光材料とする現像処理装置を示し、これは焼付露光部１と現像処理部３を有する。このうち、焼付露光部１は、主に、印画紙４をロール状に巻いたマガジン５、搬送用ベルトを含む搬送装置７、光源８、ミラートンネル９、ネガマスク１０、および、レンズユニット１１からなる公知の構造を備えている。
焼付露光された印画紙４は、搬送装置１２により矢印の方向に搬送されて、複数の搬送ローラ１３により現像処理部３へ送られる。
現像処理部３は、現像処理液を貯留する複数の槽からなる現像処理槽１４を備えている。現像処理部３を通過した印画紙４は、乾燥処理部１５に送り込まれ、同部の搬送経路を印画紙４が通過する間に、適宜乾燥される。印画紙４は、出口部１６から排出され、適宜の寸法に裁断された状態で整列される。
【００１８】
（現像処理槽の構造）
現像処理槽１４は、内部を隔壁１４ａによって複数に仕切られている。
図２に示すように、各処理槽１４毎に、対応した処理ラック２０が用意されており、各処理ラック２０は、各処理槽１４に上下方向から着脱可能に収納されている。処理ラック２０内に上下方向に並設された複数組の各搬送ローラ２２ａ，２２ｂ，２２ｂは、駆動機構によって所定方向に回動して、図８に示された要領で印画紙４を各処理槽１４内の現像処理液中を通過させる。一対の搬送ローラ２２ｂ，２２ｂは、図示されていないコイルスプリングの働きで、両者の間に配置された搬送ローラ２２ａに向かって、常に付勢されている。
また、各処理ラック２０上には、オーバーヘッドラック２５が着脱自在に設置されており、オーバーヘッドラック２５の入口側に設けられた一対の搬送ローラ２７ａ，２７ｂは、処理ラック２０の搬送ローラ２２ａ，２２ｂ，２２ｂと同一の周速度で連動して、印画紙４を下方の処理槽１４へ案内する。また、オーバーヘッドラック２５の出口側に設けられた別の一対の搬送ローラ２７ｃ，２７ｄも、搬送ローラ２２ａ，２２ｂと同一の周速度で連動して、印画紙４を処理槽１４から引き出しては、下手側に隣接する次のオーバーヘッドラック２５を介して、それに対応する処理ラック２０へと案内する。入口側の搬送ローラ２７ａ，２７ｂどうしの接線と、出口側の搬送ローラ２７ｃ，２７ｄどうしの接線とは、いずれも、処理ラック２０の中央に設けられた案内面１５ａ，１５ｂに向かって傾斜している。因みに、搬送ローラ２７ｃ，２７ｄどうしは、図示されていないコイルスプリングの働きで、互いに近接する方向に常に付勢されている。
【００１９】
（各搬送ローラの駆動機構）
図３と図５に最も良く示されるように、処理ラック２０の上部には静止した支持軸６２が水平に設けられており、この支持軸６２の先端付近には駆動ギヤ６４が回動自在に支持されている。また、支持軸６２上には駆動ギヤ６４と一体回転するように、伝動ギヤ７４およびベベルギヤ６６が外嵌されている。
そこで、駆動ギヤ６４が図示されてない駆動機構によって得る矢印方向の回転運動は、一方で、伝動ギヤ７４、伝動ギヤ７４と連動連結した伝動ギヤ７６、および、伝動ギヤ７６と噛み合った、オーバーヘッドラック２５上の入力ギヤ７８ｂ，７８ｃを介して、搬送ローラ２７ｂ，２７ｃに伝えられ、これと同時に、入力ギヤ７８ｂ，７８ｃと直接噛み合った入力ギヤ７８ａ，７８ｄと直結された搬送ローラ２７ａ，２７ｄも、各々搬送ローラ２７ｂ，２７ｃと逆方向に回動操作される。
また、駆動ギヤ６４が得る矢印方向の前記回転運動は、他方で、ベベルギヤ６６，６８、ベベルギヤ６８と直結された伝動軸７０、および、伝動軸７０と連動連結した各入力用のベベルギヤ７２，７２，．．を介して、各搬送ローラ２２ａ，２２ａ，．．に伝えられ、これと同時に、各搬送ローラ２２ａ，２２ａ，．．と連結された各搬送ローラ２２ｂ，２２ｂ，．．も、各搬送ローラ２２ａ，２２ａ，．．と逆方向に回動操作される。
【００２０】
（オーバーヘッドラックの着脱操作）
オーバーヘッドラック２５は処理ラック２０に対して着脱自在である。図３に最も良く示されるように、処理ラック２０の上端には、処理ラック２０を処理槽１４に対して抜き差し容易にするためのハンドル１２２が設けられている。そして、図３と図６に示されるように、オーバーヘッドラック２５は、ハンドル１２２の上にサドル状に跨（またが）って支持される構成となっており、しかも、オーバーヘッドラック２５の内側の搬送ローラ２７ｂ，２７ｃの間には、ハンドル１２２を下方から受け入れ可能な係合凹部２８が形成されており、これらハンドル１２２および係合凹部２８とは協働して、オーバーヘッドラック２５の処理ラック２０に対する姿勢を規制するための姿勢案内機構を構成している。
より具体的には、前記姿勢案内機構は、処理ラック２０側に設けられた、ハンドル１２２自身と、ハンドル１２２を処理ラック２０に支持している支持部材１２４，１２４を含む。ハンドル１２２自身は、搬入ローラ２７ａ，２７ｂおよび搬出ローラ２７ｃ，２７ｄの各軸芯と平行に横に延びる面を持っていて、この面がオーバーヘッドラック２５の処理ラック２０に対する平面視における角度姿勢と位置を規制する。他方、支持部材１２４，１２４は、ハンドル１２２から下方に垂直に延びる面を持っていて、この面がオーバーヘッドラック２５の処理ラック２０に対する側面視における角度姿勢を規制する。
【００２１】
尚、オーバーヘッドラック２５の係合凹部２８は、具体的には、垂直に延びた一対の板状部材１１２と１１６を含む。一方の板状部材１１２は、他方の板状部材１１６よりも上方に特に突出している。板状部材１１２と、板状部材１１２の更に下手側から同様に突出した板状部材１１４とは、オーバーヘッドラック２５を処理ラック２０に対して着脱する際の一対の摘（つま）みとして機能する。
これら摘み（板状部材）１１２，１１４の両者を手で同時に摘むと、弾性変形を起こし易い側の摘み（板状部材）１１２が、他方の摘み（板状部材）１１４側に弾性変形するように構成されているが、摘み（板状部材）１１２の弾性変形領域は、板状部材１１２の係合凹部２８としての機能を果たすために、上半分の部位に限られている。また、摘み１１２の一部からは爪部材１１２ａが水平に突出しており、他方、ハンドル１２２の上端には面取り状のカム面１２２ｂが形成されている。
【００２２】
そこで、先ず、図６−イのように、オーバーヘッドラック２５の係合凹部２８をハンドル１２２上に配置し、図６−ロのように、オーバーヘッドラック２５の係合凹部２８をハンドル１２２にかぶせ、さらにオーバーヘッドラック２５を自重を利用しつつ下ろして行くと、係合凹部２８が、支持部材１２４，１２４の垂直面によって、垂直に案内される。さらに下ろすと、図６−ハのように、オーバーヘッドラック２５の摘み１１２から水平に突出している爪部材１１２ａが、カム面１２２ｂに沿って滑り降りて、最終的にカム面１２２ｂを乗り越え、爪部材１１２ａは、その弾性回復力によって、図２および図８のように、ハンドル１２２に形成された嵌入凹部１２２ａ内に進入して、オーバーヘッドラック２５を処理ラック２０に対して抜け止め状態で取り付ける作業が完了する。ハンドル１２２に形成された、嵌入凹部１２２ａとカム面１２２ｂ、および、オーバーヘッドラック２５の摘み１１２に形成された爪部材１１２ａは、協働して、オーバーヘッドラック２５を処理ラック２０に対して相対移動することを規制するロック手段を構成している。
このように、板状部材１１２は、板状部材１１６と協働して係合凹部２８を構成していると同時に、板状部材１１４とは協働して摘みを構成し、しかも、板状部材１１２は、その弾性力によって、オーバーヘッドラック２５を処理ラック２０に対して相対移動することを規制するロック手段を兼ねている。
上記のロックされた状態では、オーバーヘッドラック２５の爪部材１１２ａが、処理ラック２０のハンドル１２２の嵌入凹部１２２ａの下向き面と接当維持しているので、摘み１１２，１１４を手で摘むことによって、爪部材１１２ａを前記下向き面から解放しながらオーバーヘッドラック２５を持ち上げれば、図５−ハのように、オーバーヘッドラック２５を処理ラック２０から引き出すことができる。
そして、摘み１１２，１１４を介してオーバーヘッドラック２５を上方に引き上げて行けば、係合凹部２８が支持部材１２４，１２４の垂直面によって垂直に案内されるため、オーバーヘッドラック２５の処理ラック２０に対する平面視における角度姿勢と位置、さらに、オーバーヘッドラック２５の処理ラック２０に対する側面視における角度姿勢が正しく規制された状態のまま、オーバーヘッドラック２５は処理ラック２０から完全に分離される（図６−ハ、ロ、および、イを参照）。したがって、この抜き取り工程でも、下手側や上手側に位置している隣のオーバーヘッドラックと干渉して、オーバーヘッドラックの下端に設けられたパッキンが損傷を受けたり、オーバーヘッドラック内の搬入ローラや搬出ローラが、処理ラック内の印画紙ガイド部材と接触してこれらのローラが損傷を受けると言った事態が未然に防止される。
【００２３】
尚、図３、図４および図５に示されるように、オーバーヘッドラック２５の左右両端の上端付近には、左右の各方向に水平に突出した板状の突起１１０，１１０が設けてあり、処理ラック２０の上端に設けられた受け入れ凹部１２０，１２０と協働して、オーバーヘッドラック２５の処理ラック２０に対する水平方向および垂直方向の相対位置を決定している。
【００２４】
図７に示されるように、処理ラック２０に対して取り付け完了したオーバーヘッドラック２５どうしの間には、約２ｍｍ幅の間隙ｔが形成されるように構成されている。この間隙ｔは、主に処理槽１４から蒸発してオーバーヘッドラック２５の下面２９ａ，２９ｂに付着した処理液の液滴が、隣接する、特に下手側の処理ラック２０内に侵入して、ここの処理液に混入するのを防止するために、その移動を、オーバーヘッドラック２５どうしの境界で阻止している。また、オーバーヘッドラック２５の下面２９ｂに付着した液滴が下面２９ｂの外側の縁に集り、ここから落下して、隣接する処理ラック２０内に侵入することのないように、オーバーヘッドラック２５の下面２９ａ，２９ｂはいずれも内側に向かってレベルの下がる曲面を形成しており、また、中でも特に、上手側の処理液がオーバーヘッドラック２５の下面２９ｂの外側縁部に大量に溜まり、下手側のオーバーヘッドラック２５の下面２９ａから伝い降りることを最大限に防止する目的で、上手側のオーバーヘッドラック２５の下面２９ｂの外側端部のレベルは、下手側に隣接するオーバーヘッドラック２５の下面２９ａの外側端部のレベルよりも、約２〜３ｍｍだけ低く位置するように形成されている。
【００２５】
（オーバーヘッドラック用のパッキンの構造）
図８に示されるように、オーバーヘッドラック２５の入口側には、図９に例示した形状のパッキンホルダー２６ａが着脱自在に取り付けられており、パッキンホルダー２６ａには、弾性材料からなるパッキン５０がやはり着脱自在に係合されている。また、オーバーヘッドラック２５の出口側にも同様に、パッキンホルダー２６ｂとこれに係合されたパッキン５２が設けられている。
入口側のパッキン５０は、断面がほぼ矩形の基端部５０ａと、基端部５０ａから上方に延びた突起部５０ｂを有する。パッキン５０は、その基端部５０ａを、パッキンホルダー２６ａに形成された直線状の係合溝に嵌合させることによって、パッキンホルダー２６ａに取り付けられる。取り付けられた状態では、突起部５０ｂは上方に向かって延びており、この時、突起部５０ｂの先端は、入口側の外側の搬送ローラ２７ａの周面に弾性的に押し付けられている。
【００２６】
出口側のパッキン５２も、同じ断面形状の基端部５２ａと、突起部５２ｂを有する。パッキン５２も、その基端部５２ａを、パッキンホルダー２６ｂの係合溝に嵌合させることによって、パッキンホルダー２６ｂに取り付けられ、取り付けられた状態では、突起部５２ｂは水平内側方向に向かって延びており、この時、突起部５２ｂの先端は、出口側の外側の搬送ローラ２７ｄの周面に密着するよう、弾性的に押し付けられている。
パッキン５０，５２は、いずれも、各々搬送ローラ２７ａ，２７ｄの周面上に付着した余分な現像処理液を掻き取って、処理ラック２０内に落下させる機能と、オーバーヘッドラック２５を処理ラック２０上に設置した時に、搬送ローラ２７ａ，２７ｄと処理ラック２０との間に形成される隙間を塞いで、この隙間から現像処理液の一部が外部に蒸発するのを未然に抑制する機能とを有する。
【００２７】
このように、パッキン５０，５２はオーバーヘッドラック２５側に取り付けられているので、オーバーヘッドラック２５を処理ラック２０から取り外して、上下反転させると、パッキン５０，５２を、オーバーヘッドラック２５から取り外すまでも無く、搬送ローラ２７ａ，２７ｄとの密着状況をも含めて、仔細に点検することができる。
図９の例示では、パッキンホルダー２６ａは、概して階段状の外形を持ったホルダー本体１０２と、ホルダー本体１０２の両端から上方に立設した一対のアーム１０４，１０４を有する。ホルダー本体１０２の両端の最下端には、被係合突起１０２ａ，１０２ａが形成されており、また、その前記階段の途中にはパッキン５０，５２の基端部５０ａ，５２ａを受け入れる係合溝１０２ｂ，１０２ｂが長手方向に形成されている。そして、各アーム１０４，１０４の上端外側には、断面三角形の返し１０４ａ，１０４ａが形成されている。因みに、パッキンホルダー全体は硬質樹脂などで形成されており、一対のアーム１０４，１０４どうしを、外力によって、互いに近接した状態に弾性変形させることができる。
一方、オーバーヘッドラック２５の入口側と出口側の各下部には、パッキンホルダー２６ａ，２６ｂの被係合突起１０２ａ，１０２および返し１０４ａ，１０４ａを受け入れ可能な凹部２５ａ，２５ｂが設けられている。
【００２８】
そこで、各パッキンホルダー２６ａ，２６ｂをオーバーヘッドラック２５の下に当てて押し上げると、パッキンホルダー２６ａ，２６ｂの被係合突起１０２ａ，１０２は、オーバーヘッドラック２５の凹部２５ａ，２５ａに進入し、同時に、パッキンホルダー２６ａ，２６ｂの返し１０４ａ，１０４ａが、オーバーヘッドラック２５の凹部２５ｂ，２５ｂにスナップ嵌合して、パッキンホルダー２６ａ，２６ｂのオーバーヘッドラック２５への係合が完了する。
パッキンホルダー２６ａ，２６ｂの各ホルダー本体１０２の階段状の断面の高さおよび幅は、オーバーヘッドラック２５を処理ラック２０から取り外しさえすれば、パッキン５０，５２の状態を、搬送ローラ２７ａ，２７ｄとの密着状況をも含めて仔細に点検することができるという前述した利点を阻害しないように、決定されている。
一方、パッキンホルダー２６ａ，２６ｂは、一対のアーム１０４，１０４を内側に押し縮めながら押し下げると、簡単にオーバーヘッドラック２５から取り外すことができるので、パッキン５０，５２を取り外して洗浄したり、パッキン５０，５２の先端の磨耗が進行した場合など、パッキン５０，５２を取り替える作業を容易に行うことができる。
パッキン５０，５２の各基端部と突起部とは一体成形されており、その材質としては、フッ素ゴム、クロロプレン、ウレタンゴム、ニトリルゴム、ブチルゴム等、薬品抵抗力の高いゴム材料が適しているが、ＰＴＦＥ（ポリテトラフルオロエチレン）などの樹脂材料も適用可能である。
【００２９】
（処理ラック用パッキンの構造）
図８に示されるように、処理ラック２０と処理槽１４の間には、垂直方向に延びた間隙が形成されており、この間隙を外部と離隔する目的で、弾性のあるパッキン３０が、処理ラック２０の上端付近に設けられている。
図１０に示すように、パッキン３０は、全体が矩形環状で、断面がほぼ矩形の基端部３０ａと、基端部３０ａから斜め下方で、径方向外側に延びた突起部３０ｂを備えている。また、処理ラック２０の全周には環状溝２０ａが形成されており、基端部３０ａは、この環状溝２０ａ内に係止される。
パッキン３０の基端部３０ａと突起部３０ｂとは一体成形されており、その材質としては、フッ素ゴム、クロロプレン、ウレタンゴム、ニトリルゴム、ブチルゴム等、薬品抵抗力の高いゴム材料が適しているが、ＰＴＦＥ（ポリテトラフルオロエチレン）などの樹脂材料も適用可能である。
【００３０】
また、処理ラック２０と処理槽１４の間には、両部材どうしの垂直方向の相対位置と、横方向での相対位置を一定にするための位置決め機構が設けられている。この位置決め機構は、図３に示されるように、搬送ローラ２２ａ，２２ｂ，２７を駆動するための入力ギヤ３４の支持軸３６、および、支持軸３６と反対側に設けられた一対の被接当部３８，３８を含み、さらに、これら支持軸３６と被接当部３８，３８を支持するために処理槽１４側に設けられた支持部（図示されず）をも含む。
ここで、パッキン３０の基端部３０ａを、環状溝２０ａ内に係止させておいて、処理ラック２０を処理槽１４に収納する時、突起部３０ｂは、処理槽１４の隔壁１４ａの上端面１４ｂに上方から接近し、収納が完了すると、突起部３０ｂの先端側の一部が上端面１４ｂに押し付けられて弾性変形し、上端面１４ｂとの間に図８に見られるような密着状態が得られる。言い換えれば、収納が完了すると、パッキン３０は、処理ラック２０から処理槽１４の隔壁１４ａの上端面１４ｂに延びた状態を呈する。また、別の言い方をすれば、パッキン３０は、処理ラック２０の外周に係止された基端部３０ａと、基端部３０ａから処理槽１４の隔壁１４ａの上端面１４ｂ向きに突出した突起部３０ｂとを有すると言える。
【図面の簡単な説明】
【図１】本発明による現像処理装置の概略側面図
【図２】図１の現像処理装置の要部の概略側面図
【図３】処理ラックとオーバーヘッドラックの斜視図
【図４】オーバーヘッドラックを処理ラックに取り付けた状態を示す斜視図
【図５】図１の現像処理装置の要部の破断正面図
【図６】オーバーヘッドラックの取り付け工程図
【図７】互いに隣接する二つの処理ラックを示す概略側面図
【図８】オーバーヘッドラックの要部の概略側面図
【図９】オーバーヘッドラック用パッキンとパッキンホルダーを示す斜視図
【図１０】処理ラック用パッキンを示す斜視図
【符号の説明】
１        焼付露光部
３        現像処理部
４        印画紙
５        マガジン
８        光源
１２      搬送装置
１３      搬送ローラ
１４      現像処理槽
２０      処理ラック
２２      搬送ローラ
２７      搬送ローラ
２８      係合凹部
３０      処理ラック用のパッキン
５０      オーバーヘッドラック用のパッキン
１１２    摘み
１１２ａ  爪部材
１２２    ハンドル
１２２ａ  嵌合凹部
１２２ｂ  カム面
【図１】
0003620562.tif 000002
【図２】
0003620562.tif 000003
【図３】
0003620562.tif 000004
【図４】
0003620562.tif 000005
【図５】
0003620562.tif 000006
【図６】
0003620562.tif 000007
【図７】
0003620562.tif 000008
【図８】
0003620562.tif 000009
【図９】
0003620562.tif 000010
【図１０】
0003620562.tif 000011